(57)【要約】【課題】本発明は従来の桁橋において不可欠とされていた橋台パラペットの構築、該桁橋上面の路面舗装とパラペット間の伸縮継手の設置を省約でき、上記桁橋の架橋工事後における上記伸縮継手の補修工事、並びに桁橋端部下面の補修工事に多額の費用を要している問題を抜本的に改善できる桁橋の架橋構造を提供する。【解決手段】桁橋１端面と橋台３背面の地盤表層部５の立ち上げ面６との間にコンクリートを打設して桁橋１端面と一体に剛結合され且つ上記桁橋１端部を支持する橋台３から遊離せる橋頭壁１０を増設し、該橋頭壁１０の端面で地盤立ち上げ面６の土留めを図る構成とした桁橋の架橋構造。【選択図】        図４
2006233584.tif 000002
【特許請求の範囲】
【請求項１】
桁橋端面と橋台背面の地盤表層部の立ち上げ面との間にコンクリートを打設して桁橋端面と一体に剛結合され且つ上記桁橋端部を支持する橋台から遊離せる橋頭壁を増設し、該橋頭壁の端面で上記地盤立ち上げ面の土留めを図る構成としたことを特徴とする桁橋の架橋構造。
【請求項２】
上記橋頭壁は上記橋台の背面と対向し且つ遊離して延出せる顎部を有することを特徴とする請求項１記載の桁橋の架橋構造。
【請求項３】
上記桁橋端面から補強筋を突設し上記橋頭壁内に埋設したことを特徴とする請求項１記載の桁橋の架橋構造。
【請求項４】
上記橋頭壁と橋台間に遊間を形成し、該遊間にスペースプレートを密接して介在したことを特徴とする請求項１記載の桁橋の架橋構造。
【発明の詳細な説明】
【技術分野】
【０００１】
本発明は主桁を橋幅方向に並設して形成した桁橋の架橋構造に関し、殊に桁橋端部を支持する橋台に土留め用のパラペットを設けずに架橋する桁橋の架橋構造に係る。
【背景技術】
【０００２】
図１に示すように、桁橋１は複数本のコンクリート製、又は同Ｈ形鋼等の鋼製の主桁２の端部をコンクリート製の橋台３に支持しつつ橋幅方向に並設し、該並設された各主桁２間に、現場において間詰めコンクリートを充填し、又は間詰めコンクリートを充填せずに、並設された主桁２上面に路面舗装４を施した構造を有する。
【０００３】
又上記桁橋１の端部を支持する、即ち主桁２の端部を支持する橋台３には桁橋１の端面に対向してコンクリート製のパラペット７を一体に立ち上げ、該パラペット７にて背面土、即ち地盤表層部５の立ち上がり面６の土留めを図る構造を採用している。
【０００４】
上記桁橋１の上面に形成された路面舗装４と地盤表層部５の上面に形成された路面舗装４′とは橋台３を介して分離され、パラペット７の上面は路面舗装４，４′間に介在して路面の一部を形成している。
【０００５】
又上記桁橋１上の路面舗装４とパラペット７間には既知の各種構造の伸縮継手８を設け、桁橋１の伸縮、即ち主桁２の伸縮を吸収する構造を採用している。
【発明の開示】
【発明が解決しようとする課題】
【０００６】
然るに上記桁橋１においては、上記伸縮継手８の経年損傷により雨水が桁橋１の端面とパラペット７の前面間の遊間９に浸入し、更に桁橋１端部を支持する橋台３の上面（桁橋１端部の支持座面）と桁橋１の端部下面との間に形成された遊間９′に浸入し、橋台３前面に沿って流出する。この結果、桁橋１の端部下面乃至橋台３上面と前面を劣化し、その補修工事を強いられている。
【０００７】
又上記雨水が桁橋１の端面から主桁２と間詰めコンクリートの界面に浸入し、間詰めコンクリートの劣化を来し桁橋１の強度を低下する等の問題を有し、その補修工事も必要となる。
【０００８】
国又は地方公共団体は上記桁橋１の架橋工事後、一定期間経過した後の上記の補修工事に多額の費用を要しているのが実情である。
【課題を解決するための手段】
【０００９】
本発明は既存の桁橋の補修工事、又は新設の桁橋の架橋工事において、上記問題を抜本的に解決する桁橋の架橋構造を提供するものである。
【００１０】
要述すると本発明は、従来の橋台に上記パラペットを設ける工法を排し、該パラペットに代え、橋台背面の地盤表層部の立ち上げ面と桁橋端面との間にコンクリートを打設して桁橋端面と一体に剛結合され且つ上記桁橋端部を支持する橋台から遊離せる橋頭壁を増設し、該橋頭壁の端面で地盤立ち上げ面の土留めを図る構成とした桁橋を創案したものである。
【００１１】
上記橋頭壁は上記橋台の上面と対向して該上面から遊離して設ける。又は該橋頭壁を上記橋台の上面を越えて地盤表層部側へ張り出すように突設し、更に該橋頭壁に上記橋台の背面と対向し且つ遊離して延出せる顎部を一体に設け、該顎部を有する橋頭壁にて地盤表層部の土留めを図ると共に、地震発生時に該顎部を橋台背面に当接して落橋防止手段とする。
【００１２】
上記橋頭壁をコンクリート打設によって形成する際、上記桁橋端面、即ち主桁端面又は／及び間詰めコンクリート端面から補強筋を一体に突設して上記橋頭壁内に埋設し、桁橋と橋頭壁との剛結合強度を増強する。
【００１３】
上記補強筋を支柱としてこれに別の補強筋を篭形に組筋することができ、これにコンクリートを打設して橋頭壁内に埋設し、強度向上に資することができる。
【００１４】
上記橋頭壁と橋台間には遊間を形成し、該遊間にスペースプレートを密接して介在する。具体的には橋台上面と橋頭壁の下面間に形成された遊間に上記スペースプレートを介在する。
【００１５】
又は橋台上面と橋頭壁の下面間に形成された遊間に上記スペースプレートを密接して介在しつつ、橋台背面と上記顎部前面間に形成された遊間にスペースプレートを密接して介在する。
【００１６】
上記スペースプレートとしては発泡樹脂プレート等を適用する。該スペースプレートは上記橋頭壁を形成するためのコンクリート打設型枠として機能し、遊間を閉塞する手段として機能する。
【００１７】
好ましくは上記桁橋の上面と橋頭壁の上面と地盤上面の路面舗装は、パラペットや伸縮継手を介さずして連続して施工する。
【００１８】
又は地盤表層部上面の路面舗装と橋頭壁上面の舗装との間に伸縮継手を設けることができる。この伸縮継手は仮に経年損傷しても雨水は橋台背面の土壌中に浸透し、従来のパラペット前面からの漏水、該漏水に起因する前記問題を招来しない。
【発明の効果】
【００１９】
本発明によれば従来の桁橋１における、上記伸縮継手８の損傷により雨水が図１に示す前記遊間９，９′に浸入して桁橋１の端部下面等を劣化し、比較的早期に補修工事を強いられる問題を有効に解決することができる。
【００２０】
又雨水が桁橋１の端面から主桁２と間詰めコンクリートの界面に浸入し、間詰めコンクリートを劣化して桁橋１の強度の低下、桁橋１上の路面舗装４の損傷等を招来し、補修工事を強いられる問題をも有効に解決できる。
【００２１】
又橋頭壁にて地盤表層部の土留め効果を得ながら、桁橋１の伸縮、即ち主桁２の伸縮を地盤の変形にて吸収せしめ、従来不可欠とされていた橋台パラペット７と桁橋１上面の路面舗装４間に伸縮継手８を設けて伸縮を吸収する工事を省約でき、ひいては該伸縮継手８の損傷と補修工事を省約できる。
【００２２】
よって上記桁橋１の架橋工事後、一定期間経過した後の上記の補修工事に多額の費用を要している問題を抜本的に改善できる。
【発明を実施するための最良の形態】
【００２３】
以下本発明を実施するための最良の形態を図２乃至図７に基づいて説明する。
【００２４】
前記の通り、図１に基づいて説明した既設の桁橋１においては、橋台３とパラペット７とがコンクリートにて一体に構築されており、これら既設の桁橋１の補修工事においては、図２，図３に示すように、上記パラペット７を橋台３の上面（主桁２の支持座面）において除去する。
【００２５】
又同図に示すように、新設の桁橋１の場合にはパラペット７を有しない橋台３をコンクリートにて構築する。
【００２６】
上記橋台３背面の地盤表層部５の立ち上げ面６と桁橋１端面との間にコンクリートを打設して桁橋１端面と一体に剛結合され且つ上記桁橋１端部を支持する橋台３から遊離せる橋頭壁１０を増設する。
【００２７】
上記橋頭壁１０の増設によって桁橋１の新たな端面が形成される。即ち橋頭壁１０端面が桁橋１の新たな端面となる。
【００２８】
一例として図２乃至図４に示すように、上記橋頭壁１０の端面と橋台３の背面とを同一平面にし、上記橋頭壁１０の端面を地盤表層部５の立ち上げ面６に当接し土留めを図ると共に、橋台３の背面にて地盤表層部５直下の地盤立ち上げ面６の土留めを図る。即ち上記橋頭壁１０の端面と橋台３の背面とは同一平面上において地盤立ち上げ面６に接し土留めを図る。
【００２９】
又は他例として図５に示すように、上記橋頭壁１０を上記橋台３の上面を越えて地盤表層部５側へ張り出すように突設し、更に該橋頭壁１０に上記橋台３の背面と対向し且つ遊離して延出せる顎部１３を一体に設け、即ち橋頭壁１０の下面から橋台３の背面に向け突出する顎部１３をコンクリートにて一体成形し、顎部１３を含む橋頭壁１０の端面にて地盤表層部５の土留めを図ると共に、地震発生時に該顎部１３を橋台３背面に当接可能として落橋防止手段とする。
【００３０】
上記桁橋１の下面には上記橋台３の前面と対向して別の落橋防止手段１４を突設し、両落橋防止手段１３，１４が協働して橋長方向へのズレを許容限度内に制限する。
【００３１】
前記のように橋頭壁１０と橋台３とは互いに剛結合せずに遊離構造とする。具体的には上記橋頭壁１０と橋台３間に遊間９ａ，９ａ′を存置せしめ、該遊間９ａ，９ａ′内にスペースプレート１５，１５′を密接して介在する。
【００３２】
即ち図２乃至図４の例示においては、主桁２を橋台３の前部上面に支持すると共に、上記橋頭壁１０を橋台３の後部上面上位に突設し、該橋台３の後部上面と橋頭壁１０の下面間に遊間９ａを形成し、該遊間９ａ内に上記スペースプレート１５を介在する。
【００３３】
又図５の例示においては、橋台３上面と橋頭壁１０の下面間に形成された遊間９ａに上記スペースプレート１５を密接して介在しつつ、橋台３背面と上記顎部１３前面間に形成された遊間９ａ′にスペースプレート１５′を密接して介在する。
【００３４】
上記スペースプレート１５，１５′としては発泡樹脂プレート等を適用する。該スペースプレート１５，１５′は上記橋頭壁１０を形成するためのコンクリート打設時の型枠として機能せしめ、且つ遊間９ａ，９ａ′を閉塞する手段として機能せしめる。即ち図２に従い、コンクリート打設前に予めスペースプレート１５，１５′を設置して型枠として機能せしめ、コンクリート打設後もこれを残留する。該スペースプレート１５，１５′と橋頭壁１０及び橋台３との接触面は自由接触面である。
【００３５】
上記橋頭壁１０と桁橋１端面との剛結合を強化する手段として、図２に示すように、上記コンクリート打設に先立ち、上記桁橋１の端面、即ち主桁２端面又は間詰めコンクリートの端面、又は主桁２及び間詰めコンクリート１１の端面から補強筋１２を突設して上記橋頭壁１０内に埋設し、桁橋１と橋頭壁１０との剛結合強度を増強する。
【００３６】
又上記補強筋１２を支柱としてこれに別の補強筋１２′を篭形に組筋し、この配筋後、上記コンクリートを打設して橋頭壁１０内に埋設する。
【００３７】
上記橋頭壁１０は桁橋１端面と間詰めコンクリート１１の端面を含む桁橋１端面の略全面を覆い、補強筋１２を桁橋１の端面から突設する方法によって、橋幅方向の全長における顎部１３を含む橋頭壁１０内への上記補強筋１２，１２′の配筋が可能である。
【００３８】
前記のように桁橋１は複数本のコンクリート製、又は同Ｈ形鋼等の鋼製の主桁２の端部を、コンクリート製橋台３の上面に支承１６を介して支持しつつ橋幅方向に並設し、該並設された各主桁２間に、現場において間詰めコンクリート１１を充填し、又は間詰めコンクリートを充填せずに、並設された主桁２上面に路面舗装４を施した構造を有する。
【００３９】
図６は桁橋１の具体例としてＴ形のコンクリート製主桁２（ＰＣコンクリート製主桁）の端部をコンクリート製の橋台３の上面に支承１６を介して支持しつつ橋幅方向に並設し、該並設された各主桁２間に、現場において間詰めコンクリート１１を充填して成る。
【００４０】
又図７は中空角箱形のコンクリート製主桁２（ＰＣコンクリート製主桁）又は中実角柱形のコンクリート製主桁２（ＰＣコンクリート製主桁）の端部をコンクリート製の橋台３の上面に支承１６を介して支持しつつ橋幅方向に並設し、該並設された各主桁２間に、現場において間詰めコンクリート１１を充填して成る。
【００４１】
上記桁橋１においてはコンクリート製主桁２の端面にドリルにて補強筋植設孔１７を削孔し、該植設孔１７に補強筋１２の端部を接着材を介し植設して桁橋１端面から前方へ突設し、コンクリート打設により橋頭壁１０内へ埋設する。
【００４２】
又はコンクリート製主桁２間に充填した間詰めコンクリート１１の端面にドリルにて補強筋植設孔１７を削孔し、該植設孔１７に補強筋１２の端部を接着材を介し植設して桁橋１端面から前方へ突設し、コンクリート打設により橋頭壁１０内へ埋設する。
【００４３】
上記補強筋１２は主桁２又は間詰めコンクリート１１の一方又は双方に植設することができる。
【００４４】
又補強筋１２の具体構造として、これを図示の如くＵ形に形成し、該Ｕ形補強筋１２の両脚端を上記主桁２又は／及び間詰めコンクリート１１の端面に植設して桁橋１前方へ突設し、これに他の補強筋１２′を篭形に組筋することができる。
【００４５】
又図示は省略するが、主桁２をＨ形鋼等の形鋼から成る鋼製主桁２を用いることができ、この主桁２間には上記間詰めコンクリート１１を打設するか、又は打設せずして桁橋１を構成する。上記補強筋１２はこの鋼製主桁２の端面又は端部側面に溶接にて取り付け、桁橋１前方へ突設し橋頭壁１０内への埋設に供することができる。
【００４６】
上記図４及び図５に示すように、上記桁橋１の上面と橋頭壁１０の上面と地盤表層部５の上面にはパラペットや伸縮継手を介さずして路面舗装４，４′を連続して施工する。
【００４７】
桁橋１上、即ち主桁２上と橋頭壁１０上の路面舗装４と、地盤表層部５上の路面舗装４′は橋頭壁１０の端面上において連続し、該橋頭壁１０の端面と対応する舗装部に路面において開放する単数又は複数の目地溝１８を橋幅方向に亘って形成して上下の曲げを吸収し、路面に亀裂が発生するのを防止する。この場合上記目地溝１８を形成する部分において舗装部を肉厚にする。
【００４８】
又路面舗装４と同４′間の接合部（上記目地溝１８を施した部位）の直下の橋頭壁１０の端部上面に地盤表層部５へ向け下り傾斜となる斜面２０を設けると共に、上記地盤表層部５上に施工した路盤１９の端部上面に橋頭壁１０へ向け下り傾斜となる斜面２０′を設け、両斜面２０，２０′下端を交接して谷部を形成し、該谷部の形成により上記接合部の路面舗装４，４′の増厚を図ると共に、地盤沈下に伴って路面舗装４′が沈下した場合に上記斜面２０，２０′を介して路面が自然に連続するようにし、沈下による急激な段差発生を改善する。
【００４９】
好ましくは上記両斜面２０，２０′の下端、即ち谷底線が橋頭壁１０の端面と対応する位置に上記目地溝１８を設ける。又は目地溝１８を設けず谷部を上記両舗装４，４′の接合部に配し、上記舗装４，４′の増厚を図ると共に、同所における舗装４′の沈下に対する効果を享受する。
【００５０】
又伸縮継手を設ける場合には、これを地盤表層部５上面の路面舗装４′と橋頭壁１０上面の路面舗装４との間、即ち両舗装４，４′の上記接合部付近に同継手を設ける。即ち上記目地溝１８を施さんとする位置、換言すると橋頭壁１０の端面と対応する位置に既知の伸縮継手を設ける。
【００５１】
上記伸縮継手は仮に経年損傷しても雨水は橋台３背面の土壌中に浸透し、従来の遊間９，９′からの漏水、該漏水に起因する前記問題を招来しない。
【図面の簡単な説明】
【００５２】
【図１】従来の桁橋の架橋部における断面図。
【図２】図２乃至図４は橋頭壁の第一例を作業工程順に示す桁橋の架橋部における断面図であり、図２は補強筋を桁橋端面から突設した状態を示す。
【図３】図２の補強筋を配した桁橋端面と地盤表層部の立ち上げ面間にコンクリートを打設し橋頭壁を形成した状態を示す架橋部断面図。
【図４】図３の桁橋上と橋頭壁上と地盤表層部上に連続舗装を施した状態を示す架橋部断面図。
【図５】上記橋頭壁の第二例を示す桁橋の架橋部における断面図。
【図６】桁橋の第一具体構造例を示すと共に該具体構造例における上記補強筋の配筋状態を桁橋の端面より視た断面図。
【図７】桁橋の第二具体構造例を示すと共に該具体構造例における上記補強筋の配筋状態を桁橋の端面より視た断面図。
【符号の説明】
【００５３】
１…桁橋、２…主桁、３…橋台、４，４′…路面舗装、５…地盤表層部、６…同立ち上げ面、９ａ，９ａ′…遊間、１０…橋頭壁、１１…間詰めコンクリート、１２，１２′…補強筋、１３…顎部、１４…落橋防止手段、１５…スペースプレート、１６…支承、１７…補強筋植設孔、１８…目地溝、１９…路盤、２０，２０′…斜面。
【図１】
2006233584.tif 000003
【図２】
2006233584.tif 000004
【図３】
2006233584.tif 000005
【図４】
2006233584.tif 000006
【図５】
2006233584.tif 000007
【図６】
2006233584.tif 000008
【図７】
2006233584.tif 000009
【手続補正書】
【提出日】平成17年2月28日(2005.2.28)
【手続補正１】
【補正対象書類名】特許請求の範囲
【補正対象項目名】全文
【補正方法】変更
【補正の内容】
【特許請求の範囲】
【請求項１】
複数のコンクリート製主桁を橋幅方向に並設して形成した桁橋において、上記桁橋端面と一体に剛結合され且つ上記桁橋端部を支持する橋台から遊離せるコンクリート製橋頭壁を増設し、該橋頭壁の端面で上記橋台背面の地盤表層部の地盤立ち上げ面の土留めを図る構成としたことを特徴とする桁橋の架橋構造。
【請求項２】
上記橋頭壁は上記橋台の背面と対向し且つ遊離して延出せる顎部を有することを特徴とする請求項１記載の桁橋の架橋構造。
【請求項３】
上記桁橋端面から補強筋を突設し上記橋頭壁内に埋設したことを特徴とする請求項１記載の桁橋の架橋構造。
【請求項４】
上記橋頭壁と橋台間に遊間を形成し、該遊間にスペースプレートを密接して介在したことを特徴とする請求項１記載の桁橋の架橋構造。
【請求項５】
上記桁橋及び橋頭壁と上記地盤表層部とに連続して路面舗装を施したことを特徴とする請求項１記載の桁橋の架橋構造。